(57)【要約】【課題】水質の悪化を防止しながら、観賞性に優れた観賞用水草水槽を提供する。【解決手段】後側から前側に向かって低くなる段差が形成されて配置された複数段の底板１０ａを有する階段状部材１０と、各段の底板後縁と隣接する上段の底板前縁とを連設する立壁部２０と、前記階段状部材の各段の底板前縁に立設された仕切板３０と、前記階段状部材の最上段の底板後縁に立設された後縁板５０と、前記立壁部と前記仕切板と前記後縁板との左右側面を閉塞する側板６０とを備える。前記仕切板３０には、左右端部近傍のいずれかに水を下段に放水する放水手段４０を設ける。下段の放水手段４０と隣接する上段の放水手段４０とは、左右位置を反対側に設ける。【選択図】図１
2012217340.tif 000002
【特許請求の範囲】
【請求項１】
後側から前側に向かって低くなる段差が形成されて配置された複数段の底板を有する階段状部材と、
各段の底板後縁と隣接する上段の底板前縁とを連設する立壁部と、
前記階段状部材の各段の底板前縁に立設された仕切板と、
前記階段状部材の最上段の底板後縁に立設された後縁板と、
前記立壁部と前記仕切板と前記後縁板との左右側面を閉塞する側板とを備え、
前記階段状部材の各段の底板と前記仕切板と前記立壁部または前記後縁板と前記側面とで区画された内側には、これらにより水を貯える小水槽が形成され、
前記階段状部材の最上段には、水供給手段が配置され、
前記仕切板には、左右端部近傍のいずれかに水を下段に放水する放水手段が設けられ、
下段の放水手段と隣接する上段の放水手段とは、左右位置が反対側に設けられていることを特徴する観賞用水草水槽。
【請求項２】
前記階段状部材の背面側には、濾過装置が備えられ、
最下段の立壁部には、前記濾過装置に水を送り込む取水口が設けられている請求項１に記載の観賞用水草水槽。
【請求項３】
前記階段状部材の最上段の上方には、前方斜め下方に向かって照明光を照射する照明装置が配置されている請求項１又は２に記載の観賞用水草水槽。
【請求項４】
前記放水手段は、前記仕切板の一部に、周囲の仕切板の高さよりも低い部分が形成され、この低い部分に、周囲の仕切板よりも高さが低く形成された水位調節部材が、着脱自在に取り付けられていることで構成された請求項１〜３に記載の観賞用水草水槽。
【請求項５】
前記仕切板は、透明にされた請求項１〜４に記載の観賞用水草水槽。
【発明の詳細な説明】
【技術分野】
【０００１】
本発明は、アクアリウムに関し、より詳細には水中または水辺に生える水草用の水槽に関する。
【背景技術】
【０００２】
従来、水草を観賞するための水槽として、水槽本体の中に、水槽本体の後側から前側に向かって、段差が低くなる階段状の部材が配置された水槽が知られている（例えば、特許文献１参照）。
【０００３】
この水槽は、水槽の最上段から水を流すと、水は拡散しながら上段から下段に向かって流れ落ちるというものである。
【先行技術文献】
【特許文献】
【０００４】
【特許文献１】意匠登録第１３４４０５７号公報
【発明の概要】
【発明が解決しようとする課題】
【０００５】
しかしながら、上述した特許文献１の水槽では、流した水は各段を速やかに流れ落ちていくため、水を各段の全面に行き渡らせることが難しく、水が行き渡らない場所では、水質が悪化するおそれがある。また観賞性の点で改善の余地があった。
【０００６】
本発明は、上述した事情に鑑みてなされたものであり、その目的は、水質の悪化を防止しながら、観賞性に優れた観賞用水草水槽を提供することにある。
【課題を解決するための手段】
【０００７】
［１］
後側から前側に向かって低くなる段差が形成されて配置された複数段の底板を有する階段状部材と、
各段の底板後縁と隣接する上段の底板前縁とを連設する立壁部と、
前記階段状部材の各段の底板前縁に立設された仕切板と、
前記階段状部材の最上段の底板後縁に立設された後縁板と、
前記立壁部と前記仕切板と前記後縁板との左右側面を閉塞する側板とを備え、
前記階段状部材の各段の底板と前記仕切板と前記立壁部または前記後縁板と前記側面とで区画された内側には、これらにより水を貯える小水槽が形成され、
前記階段状部材の最上段には、水供給手段が配置され、
前記仕切板には、左右端部近傍のいずれかに水を下段に放水する放水手段が設けられ、
下段の放水手段と隣接する上段の放水手段とは、左右位置が反対側に設けられていることを特徴する観賞用水草水槽。
【０００８】
［２］
前記階段状部材の背面側には、濾過装置が備えられ、
最下段の立壁部には、前記濾過装置に水を送り込む取水口が設けられている前項１に記載の観賞用水草水槽。
【０００９】
［３］
前記階段状部材の最上段の上方には、前方斜め下方に向かって照明光を照射する照明装置が配置されている前項１又は２に記載の観賞用水草水槽。
【００１０】
［４］
前記放水手段は、前記仕切板の一部に、周囲の仕切板の高さよりも低い部分が形成され、この低い部分に、周囲の仕切板よりも高さが低く形成された水位調節部材が、着脱自在に取り付けられていることで構成された前項１〜３に記載の観賞用水草水槽。
【００１１】
［５］
前記仕切板は、透明にされた前項１〜４に記載の観賞用水草水槽。
【発明の効果】
【００１２】
前項［１］の発明によると、前記仕切板には、左右端部近傍のいずれかに水を下段に放水する放水手段が設けられ、下段の放水手段と隣接する上段の放水手段とは、左右位置が反対側に設けられているため、最上段に供給された水は、各段の小水槽の全域にわたって右から左に、あるいは左から右に流れ、水の滞留や止水を防止することにより、水質の悪化を防止でき、水流の変化を演出して観賞性を高めることができる。
【００１３】
前項［２］の発明によると、前記階段状部材の背面側には、濾過装置が備えられているため、濾過装置を遮蔽して見栄えを良くしつつ、背面側の空間を利用することで、水槽全体をコンパクトにできる。
【００１４】
前項［３］の発明によると、前記階段状部材の最上段の上方には、前方斜め下方に向かって照明光を照射する照明装置が配置されているため、照明装置が観賞者の離れた位置に存することになり、観賞の阻害になるのを防止し、階段状部材の全域を照射できる。
【００１５】
前項［４］の発明によると、水位調節部材が、着脱自在に取り付けられているため、使用者の意図に合わせて水位調節部材を着脱することにより、各段の小水槽の水位を調節できる。
【００１６】
前項［５］の発明によると、仕切板は透明にされているため、前方から各小水槽内の様子を視認できる。
【図面の簡単な説明】
【００１７】
【図１】図１は、本発明の一実施形態にかかる観賞用水草水槽の概略を示す斜視図である。
【図２】図２は、本発明の一実施形態にかかる観賞用水草水槽の概略の分解状態を示す斜視図である。
【図３】図３は、本発明の一実施形態にかかる観賞用水草水槽を示す正面図である。
【図４】図４は、本発明の一実施形態にかかる観賞用水草水槽を示す背面図である。
【図５】図５は、本発明の一実施形態にかかる観賞用水草水槽を示す平面図である。
【図６】図６は、本発明の一実施形態にかかる観賞用水草水槽を示す右側面図である。
【図７】図７は、本発明の一実施形態にかかる観賞用水草水槽を示すＸ−Ｘ組合せ断面図である。
【図８】図８は、本発明の一実施形態にかかる濾過装置を示す拡大図であり、（Ａ）は正面図、（Ｂ）は右側面図、（Ｃ）は平面図である。
【図９】図９は、本発明の一実施形態にかかる観賞用水草水槽の使用状態を示す斜視図である。
【発明を実施するための形態】
【００１８】
次に、本発明の一実施形態にかかる観賞用水草水槽について、図１〜図９を参照して説明する。図１は、本発明の一実施形態にかかる観賞用水草水槽の概略を示す斜視図である。図２は、本発明の一実施形態にかかる観賞用水草水槽の概略の分解状態を示す斜視図である。図３は、本発明の一実施形態にかかる観賞用水草水槽を示す正面図である。図４は、本発明の一実施形態にかかる観賞用水草水槽を示す背面図である。図５は、本発明の一実施形態にかかる観賞用水草水槽を示す平面図である。図６は、本発明の一実施形態にかかる観賞用水草水槽を示す右側面図である。図７は、本発明の一実施形態にかかる観賞用水草水槽を示すＸ−Ｘ組合せ断面図である。図８は、本発明の一実施形態にかかる濾過装置を示す拡大図であり、（Ａ）は正面図、（Ｂ）は右側面図、（Ｃ）は平面図である。図９は、本発明の一実施形態にかかる観賞用水草水槽の使用状態を示す斜視図である。
【００１９】
図１〜図８に示すように、観賞用水草水槽１は、階段状部材１０と、立壁部２０と、仕切板３０と、放水手段４０と、後縁板５０と、側板６０と、濾過装置７０と、水供給手段８０と、照明装置９０とを備えている。
【００２０】
階段状部材１０は、複数段の底板１０ａを有するものであり、複数段の底板１０ａは、後側から前側に向かって低くなる段差が形成されて配置されている。この階段状部材１０は、底板１０ａが３箇所に設けられた全３段から構成されている。
【００２１】
また、各段の底板１０ａの後縁と隣接する上段の前縁とには、底板１０ａ後縁と隣接する底板１０ａ前縁とを連設する立壁部２０が形成されている。最下段の立壁部２０には、取水口３２が形成されている。
【００２２】
階段状部材１０の各段の底板１０ａ前縁には、前側に水が溢れるのを阻止する仕切板３０が、左右両端に至るまで全て同じ高さに立設されている。この仕切板３０のうち、最上段では、仕切板３０の左側近傍が底板１０ａと略同じ高さまで仕切りが除外された（形成されていない）落下口３１が設けられ、最上段に隣接する下段では、最上段の落下口３１とは左右位置が反対側に落下口３１が設けられている。最下段の仕切板３０は、左右両端に至るまで全て同じ高さの仕切板３０が立設されている。また、仕切板３０は透明にされている。
【００２３】
また、仕切板３０の一部に設けられた落下口３１には、その落下口３１を塞ぐように水位調節部材４１が着脱自在に取り付けられている。放水手段４０は落下口３１に水位調節部材４１を取り付けてなるものを採用している。
【００２４】
水位調節部材４１は、上下方向に組み合わされた２枚の板状部材から構成されている。組み合わされた板状部材からなる水位調節部材４１の高さは、仕切板３０の高さより低く設定されている。また、この水位調節部材４１は、２枚の板状部材を組み合わせずに、１枚の板状部材のみを落下口３１に取り付けて使用できるものである。また、水位調節部材４１は透明にされている。
【００２５】
階段状部材１０の最上段の底板１０ａ後縁には、後縁板５０が立設されている。この後縁板５０は、最上段の小水槽Ｓの後縁を含む観賞用水草水槽１の背面を形成するものである。図４に示すように、後縁板５０の高さ方向中央部（最上段の小水槽Ｓの形成する後縁板５０となる部分より下方）には、左右両端近傍に至るまで長方形状の開口部５１が設けられている。
【００２６】
立壁部２０と仕切板３０と後縁板５０との左右側面には、立壁部２０と仕切板３０と後縁板５０との左右側面を閉塞するように側板６０が取り付けられている。側板６０の上部には、凹部６１が形成されている。図６に示すように、側板６０は、中央部近傍から前方（観賞時に正面側に向けられる側）に向かって高さが次第に高くなる傾斜部６２が形成されている。側板６０の後方下端部近傍には、階段状部材１０の背面側内部を確認する窓部６３が形成されている。この窓部６３は側面に開口を設け、この開口を塞ぐ透明な板が嵌められて構成されている。
【００２７】
図５に示すように、仕切板３０と立壁部２０と側板６０とで区画された内側は、水を貯える小水槽Ｓが形成され、さらに仕切板３０と後縁板５０と側板６０とで区画された内側も小水槽Ｓが形成されている。本実施形態の観賞用水草水槽１では、全３箇所に小水槽Ｓが設けられている。
【００２８】
図８に示すように、階段状部材１０の背面側には、濾過装置７０が備えられている。この濾過装置７０は、最下段の立壁部２０に設けられた取水口３２に押し入れられている。
【００２９】
この濾過装置７０は、上部が開口する箱状に形成されている。濾過装置７０の前部（正面）は、後部（背面）から取水口３２内に押し入れられたときに、濾過装置７０の前部（正面）の裏面部が取水口３２の周縁部３２ａと当接して内部に入り込まないように、取水口３２の開口より幅広に形成されている。
【００３０】
濾過装置７０の前部（正面）には、不純物を堰き止める縦長の孔部７１が複数設けられている。この縦長の孔部７１の中央上部には、濾過装置７０を引き出すための引出孔部７１ａが、縦長の孔部７１と一体に形成されて設けられている。また、濾過装置７０の底部には、前部（正面）の孔部７１よりも小径で真円状の孔部７２が複数設けられている。濾過装置７０の孔部７２が設けられた底部の上面には、濾過マット７３が配置される。この濾過マット７３は交換可能なものを採用している。
【００３１】
濾過装置７０の階段状部材１０の下側には、水が貯留できるようになっている。濾過装置７０を通った水は、階段状部材１０の下側に貯留される。
【００３２】
階段状部材１０の最上段には、水供給手段８０が配置されている。この水供給手段８０は、ポンプ８１から汲み上げられた水を配水する配水器８２からなるものを採用している。この配水器８２は、階段状部材１０の最上段の後縁板５０に吸盤で固定され、配水器８２の端部には、水を送るチューブ８３が接続されている。このチューブ８３は、側板６０の上縁に設けられた凹部６１の凹み内側部分に挟持され、側板６０側を沿って側板６０の孔部を通って内部に入られている。図７に示すように、チューブ８３の先端（配水器８２に接続された端部とは反対の端部）には、階段状部材１０の背面側に配置されたポンプ８１が接続されている。このポンプ８１は、階段状部材１０の下側に貯留されている水を汲み上げるものである。ポンプ８１には、電源プラグが接続された電源コード８４が接続され、この電源プラグおよび電源コード８４は、後縁板５０の開口部５１を通って、水槽の外部に出されている。
【００３３】
階段状部材１０の最上段の上方には、照明装置９０が配置されている。この照明装置９０は、照明装置９０の長手方向両側に固定部９１を備え、照明装置９０の固定部９１は、側板６０の傾斜部６２の上縁に固定されている。
【００３４】
次に本発明の一実施形態にかかる観賞用水草水槽１の使用状態について説明すると、図９に示すように、観賞用水草水槽１の各段の小水槽Ｓには、水が貯留され、複数の水草Ｗが配置されている。
【００３５】
後縁板５０に固定された配水器８２からは、最上段の小水槽Ｓに向けて水が放水されている。最上段の小水槽Ｓの水位は、最上段の左側端部に設けた水位調節部材４１の上部の高さまで保たれている。水は、水位調節部材４１の上部から溢れ、隣接する下段の小水槽Ｓに向かって放水されている。
【００３６】
隣接する下段の小水槽Ｓの水位は、隣接する上段の水位調節部材４１がある側とは左右位置が反対側である右側端部に設けられた水位調節部材４１の上部の高さまで保たれている。水は、水位調節部材４１の上部から溢れ、隣接する最下段の小水槽Ｓに向かって放水されている。
【００３７】
最下段の小水槽Ｓの水位は、濾過装置７０の縦長の孔部７１が設けられていない面まで保たれている。水は、濾過装置７０の縦長の孔部７１を通り、濾過装置７０の底部の孔部７２を通り、階段状部材１０の背面側に放水され、階段状部材１０の下側に貯留されている。この水は、階段状部材１０の背面側に配置されたポンプ８１で汲み上げられ、最上段の後縁板５０に固定されたチューブ８３に接続された配水器８２から再び最上段の小水槽Ｓに放水されている。
【００３８】
また、水流は、最上段では小水槽Ｓの左から右に流れ、この最上段と隣接する下段では小水槽Ｓの左から右に流れ、この下段に隣接する最下段では小水槽Ｓの左から右に流れている。
【００３９】
本発明の一実施形態にかかる観賞用水草水槽１は、次の利点がある。
【００４０】
上記実施形態によると、仕切板３０のうち、最上段では、仕切板３０の左側近傍が底板１０ａと略同じ高さまで仕切りが除外された（形成されていない）落下口３１が設けられ、最上段に隣接する下段では、最上段の落下口３１とは左右位置が反対側に落下口３１が設けられ、この落下口３１には落下口３１を塞ぐように水位調節部材４１を着脱自在に取り付けられている。これにより、最上段から水を流すと、水は放水手段４０のある場所から下段に放水され、下段に放水された水は放水された側とは左右位置が反対側の放水手段４０まで流れ、その反対側の放水手段４０からさらに下段に放水される。このため、最上段に供給された水は、各段の小水槽Ｓの全域にわたって右から左に、あるいは左から右に流れ、水の滞留や止水を防止することにより、水質の悪化を防止でき、水流の変化を演出して観賞性を高めることができる。
【００４１】
上記実施形態によると、階段状部材１０は、複数段の底板１０ａを有するものであり、複数段の底板１０ａは、後側から前側に向かって低くなる段差が形成されて配置されているため、下段の小水槽Ｓが隣接する上段の小水槽Ｓよりも前側に存することになり、観賞者が観賞用水草水槽１の上方から観賞した際に、上段の小水槽Ｓが下段の小水槽Ｓを遮蔽することなく、前方および上方から全ての小水槽Ｓを観賞できる。
【００４２】
上記実施形態によると、階段状部材１０の背面側には、濾過装置７０が備えられているため、濾過装置７０を遮蔽して見栄えを良くしつつ、背面側の空間を利用することで、水槽全体をコンパクトにできる。
【００４３】
上記実施形態によると、側板６０は、中央部近傍から前方（観賞時に正面側に向けられる側）に向かって高さが次第に高くなる傾斜部６２が形成され、照明装置９０の固定部９１は、側板６０の傾斜部６２の上縁に固定されているため、照明装置９０を観賞者の離れた位置に存することになり、観賞の阻害になるのを防止し、階段状部材１０の全域に照明光を照射できる。
【００４４】
上記実施形態によると、水位調節部材４１が、着脱自在に取り付けられているため、使用者の意図に合わせて水位調節部材４１を着脱することにより、放水される水位を調節できる。
【００４５】
上記実施形態によると、水位調節部材４１は、上下方向に組み合わされた２枚の板状部材から構成され、組み合わされた板状部材からなる水位調節部材４１の高さは、仕切板３０の高さより低く設定され、この水位調節部材４１は、２枚の板状部材を組み合わせずに、１枚の板状部材のみを落下口３１に取り付けて使用できるものである。このため、２枚の板状部材を任意に組み合わせることにより、３段階の水位を作ることができる。すなわち、３段階の水位は、水位調節部材４１を取り付けない最も低い水位と、２枚の板状部材のうち１枚の板状部材を取り付けて、その１枚の板状部材の高さ水位と、２枚の板状部材を高さ方向に組み合わせて取り付ける２枚の板状部材の高さ水位と、を作ることができる。また、各段の小水槽ごとに、使用する板状部材の枚数を異ならすことにより、各段の小水槽ごとに水位を異ならすことができ、水草の種類や使用者の好みに合わせて、水位を作ることができる。
【００４６】
上記実施形態によると、水位調節部材４１透明にされているため、前方から水槽内の様子を視認することができる。
【００４７】
上記実施形態によると、仕切板３０は透明にされているため、前方から水槽内の様子を視認することができる。
【００４８】
上記実施形態によると、濾過装置７０の前部（正面）には、不純物を堰き止める縦長の孔部７１が複数設けられ、濾過装置７０の底部には、前部（正面）の孔部７１よりも小径で真円状の孔部７２が複数設けられ、濾過装置７０の孔部７２が設けられた底部の上面には、濾過マット７３が配置されている。このため、濾過装置７０の前部（正面）では、大きな不純物を堰き止め、濾過マット７３では、濾過装置７０の前部（正面）で堰き止めることができなかった小さな不純物を堰き止めて、不純物を２段階で堰き止めることができるため、高い濾過能力を得ることができる。
【００４９】
上記実施形態によると、縦長の孔部７１の中央上部には、濾過装置７０を引き出すための引出孔部７１ａが、縦長の孔部７１と一体に形成されて設けられているため、濾過装置７０を容易に引き出してメンテナンスすることができる。
【００５０】
上記実施形態によると、後縁板５０の高さ方向中央部（最上段の小水槽Ｓの形成する後縁板５０となる部分より下方）には、左右両端近傍に至るまで長方形状の開口する開口部５１が設けられているため、この開口部５１から内部のポンプ８１などのメンテナンスや配線処理等を容易に行うことができる。
【００５１】
以上、本発明を一実施形態に基づいて説明してきたが、本発明は上記実施形態に限定されるものではなく、その発明の範囲で適宜変更可能であり、例えば、以下のように構成しても良い。
【００５２】
（１）上記実施形態では、階段状部材１０は、全３段に構成されているが、本発明はこの実施形態に限定されるものではなく、少なくとも２段以上の複数段から構成されていれば良く、必要に応じて段数を自由に変更することができる。
【００５３】
（２）上記実施形態では、放水手段４０は落下口３１に水位調節部材４１を取り付けてなるものを採用したが、本発明はこの実施形態に限定されるものではなく、必ずしも水位調節部材のような別部材を用いる必要はなく、例えば、仕切板の一部を他の部分より低く形成することにより、放水手段を構成しても良い。さらに、例えば、仕切板の一部に開口部や孔部などを設けることにより、放出手段を構成しても良い。この開口部や孔部などの形状、個数、大きさ、範囲は、自由に設計変更できる。
【００５４】
（３）上記実施形態では、水位調節部材４１は、上下方向に組み合わされた２枚の板状部材から構成されているとしたが、本発明はこの実施形態に限定されるものではなく、水位調節部材は、２枚以上の板状部材から構成されていても良い。また、水位調節部材は、左右方向に組み合わされた２枚以上の板状部材から構成されていても良い。
【００５５】
（４）上記実施形態では、放水手段４０は、最上段では左側に、最上段に隣接する下段では右側に設けたが、本発明はこの実施形態に限定されるものではなく、左右位置が逆になっていても良い。
【００５６】
（５）上記実施形態では、水位調節部材４１および仕切板３０は透明のものを採用しているが、本発明はこの実施形態に限定されるものではなく、必ずしも、透明のものを採用する必要はなく、例えば半透明あるいは不透明なものを採用しても良い。
【００５７】
（６）上記実施形態では、濾過装置７０の前部（正面）には、不純物を堰き止める縦長の孔部７１が複数設けられ、濾過装置７０の底部には、前部の孔部よりも小さい真円の孔部７２が複数設けられているが、本発明はこの実施形態に限定されるものではなく、孔部７１および孔部７２の位置、大きさ、個数、形状、範囲などは自由に設定できる。
【００５８】
（７）上記実施形態では、ポンプ８１は、階段状部材１０の背面側に配置されているとしたが、本発明はこの実施形態に限定されるものではなく、例えば、被設置床に水槽台を設置し、その水槽台の上部に水槽本体を載置する。その水槽台の中には、ポンプなどを配置するようにしても良い。
【００５９】
（８）上記実施形態では、ポンプ８１は、階段状部材１０の背面側に貯留されている水を汲み上げるものとしたが、本発明はこの実施形態に限定されるものではなく、例えば、水を汲み上げる手段に加え、水を濾過する手段を有していても良い。
【００６０】
（９）上記実施形態にかかる観賞用水草水槽１の用途は、店頭などに置かれる販売什器用や家庭用など様々な用途がある。
【００６１】
（１０）上記実施形態では、チューブ８３は、側板６０の上縁に設けられた凹部６１の凹み内側部分に挟持され、側板６０側を沿って側板６０の孔部６４を通って内部に入られているとしたが、本発明はこの実施形態に限定されるものではなく、例えば、チューブ８３は、後縁板５０の開口部５１を通って内部に入れられていても良く、観賞用水草水槽１の設置場所に応じて、使用者は、側板６０の孔部６４か、あるいは後縁板５０の開口部５１かを選択できる。
【００６２】
（１１）上記実施形態では、電源プラグおよび電源コード８４は、後縁板５０の開口部５１を通って、水槽の外部に出されているとしたが、本発明はこの実施形態に限定されるものではなく、例えば、側板６０の孔部６４を通って、水槽の外部に出されていても良く、観賞用水草水槽１の設置場所に応じて、使用者は、後縁板５０の開口部５１か、あるいは側板６０の孔部６４かを選択できる。
【符号の説明】
【００６３】
１      観賞用水草水槽
１０ａ  底板
１０    階段状部材
２０    立壁部
３０    仕切板
３２    取水口
４０    放水手段
４１    水位調節部材
５０    後縁板
６０    側板
７０    濾過装置
８０    水供給手段
９０    照明装置
Ｓ      小水槽
【図１】
2012217340.tif 000003
【図２】
2012217340.tif 000004
【図３】
2012217340.tif 000005
【図４】
2012217340.tif 000006
【図５】
2012217340.tif 000007
【図６】
2012217340.tif 000008
【図７】
2012217340.tif 000009
【図８】
2012217340.tif 000010
【図９】
2012217340.tif 000011